(57)【要約】  蓋の開閉に連動して、被収容物を昇降できる新たなヒンジリッドパッケージに関する技術を提供する。本発明は、被収容物を収容し、被収容物を取り出す開口を有する略直方体形状の収容部と、前記開口の後側開口縁にヒンジを介して回動可能に連結され、前記開口を開閉する蓋部と、を含むヒンジリッドパッケージであって、前記収容部の下側に設けられ、前記被収容物を載置し、前記蓋部の開閉に連動して昇降する昇降部と、前記蓋部と前記昇降部とを連結し、前記蓋部の開閉に連動して前記昇降部を昇降させる連結部と、前記蓋部と連なり下側に延出する舌状片であって、前記連結部と接し、前記蓋部の開閉に連動して前記連結部の昇降を補助する舌状片と、を備える。
2015141010.tif 000002
【特許請求の範囲】
【請求項１】
被収容物を収容し、被収容物を取り出す開口を有する略直方体形状の収容部と、前記開口の後側開口縁にヒンジを介して回動可能に連結され、前記開口を開閉する蓋部と、を含むヒンジリッドパッケージであって、
前記収容部の下側に設けられ、前記被収容物を載置し、前記蓋部の開閉に連動して昇降する昇降部と、
前記蓋部と前記昇降部とを連結し、前記蓋部の開閉に連動して前記昇降部を昇降させる連結部と、
前記蓋部と連なり下側に延出する舌状片であって、前記連結部と接し、前記蓋部の開閉に連動して前記連結部の昇降を補助する舌状片と、を備えるヒンジリッドパッケージ。
【請求項２】
前記収容部の後側角部に沿って設けられ、前記ヒンジから下側に延出する切り込みを更に備える、請求項１に記載のヒンジリッドパッケージ。
【請求項３】
前記ヒンジの下側に設けられた第２ヒンジと、
前記収容部の後側角部に沿って設けられ、前記ヒンジから前記第２ヒンジ側に延出する切り込みと、を更に備える、請求項１に記載のヒンジリッドパッケージ。
【請求項４】
前記ヒンジの上側に設けられた第３ヒンジと、
前記収容部の後側角部に沿って設けられ、前記ヒンジから前記第３ヒンジ側に延出する切り込みと、を更に備える、請求項１から３の何れか１項に記載のヒンジリッドパッケージ。
【請求項５】
前記昇降部は、被収容物を複数列に分けて収容する小箱であって、前記蓋部の開閉に連動して列毎に昇降する小箱と、前記小箱を前後方向に接続する接続部と、を有する、請求項１から４の何れか１項に記載のヒンジリッドパッケージ。
【請求項６】
前記小箱は、被収容物の移動を抑制する小片を有する、請求項１から５の何れか１項に記載のヒンジリッドパッケージ。
【発明の詳細な説明】
【技術分野】
【０００１】
本発明は、ヒンジリッドパッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、蓋（リッド）を備えたヒンジリッドパッケージ（ヒンジリッドボックスとも言う）が知られている。この種のヒンジリッドパッケージは、通常、ボックス状の外形を有し、シガレット束を収容する収容部と、収容部の上部に形成される開口端を開閉するための蓋が、開口端の縁部に沿って設けられるヒンジを介して回動自在に連結されている。【０００３】
たばこ商品等の被収容物の取り出しやすさを改善するため、被収容物のリフトアップ機構を備えるパッケージが提案されている。例えば、特許文献１には、蓋の開閉に伴って往復運動する第１操作子又は箱ボディに対して昇降方向に往復可能な内包材とは別体の第２操作子を含み、該操作子の往動に伴い、前面及び後面の一方の面を引き上げることで、シガレット束とともに底面を斜めにリフトアップさせる引上げ機構を具備するシガレットボックスが開示されている。また、例えば、特許文献２には、容器の底壁の喫煙物品を持ち上げるために少なくとも１つの喫煙物品と相互に関連付けられた持ち上げ要素を含み、持ち上げ要素が喫煙物品の外側上端部分に係合可能な係合部分を有する容器が開示されている。
【先行技術文献】
【特許文献】
【０００４】
【特許文献１】ＷＯ２０１３／０７６８６３号パンフレット
【特許文献２】特表２０１３−５００２１２号公報
【発明の概要】
【発明が解決しようとする課題】
【０００５】
従来技術として、蓋の開閉に連動してシガレット束がリフトアップするものが存在する。このような従来技術では、蓋を開閉するだけで、シガレット束がリフトアップされるため、シガレットをパッケージから容易に取り出すことができる。但し、このような従来技術は、リフトアップできる範囲が小さい、構造上又は強度上安定的にリフトアップしないといった課題も存在した。また、蓋の開閉とは異なる操作によってシガレット束をリフトアップする従来技術が存在する。但し、このような従来技術では、蓋の開閉動作とは別にリフトアップするための操作を行わなければならない。なお、上記課題は、シガレットを収容するパッケージに限らず、被収容物を収容するパッケージにおいても存在する。【０００６】
本発明は、上記の問題に鑑み、蓋の開閉に連動して、被収容物を昇降できる新たなヒンジリッドパッケージに関する技術を提供することを課題とする。
【課題を解決するための手段】
【０００７】
本発明は、上述した課題を解決するため、蓋の開閉に連動して昇降する連結部の昇降を補助する舌状片を設けることとした。【０００８】
詳細には、本発明は、被収容物を収容し、被収容物を取り出す開口を有する略直方体形状の収容部と、前記開口の後側開口縁にヒンジを介して回動可能に連結され、前記開口を開閉する蓋部と、を含むヒンジリッドパッケージであって、前記収容部の下側に設けられ、前記被収容物を載置し、前記蓋部の開閉に連動して昇降する昇降部と、前記蓋部と前記昇降部とを連結し、前記蓋部の開閉に連動して前記昇降部を昇降させる連結部と、前記蓋部と連なり下側に延出する舌状片であって、前記連結部と接し、前記蓋部の開閉に連動して前記連結部の昇降を補助する舌状片と、を備えるヒンジリッドパッケージである。【０００９】
本発明に係るヒンジリッドパッケージは、被収容物を載置する昇降部が蓋部の開閉に連動して昇降する。そのため、蓋部を開閉するだけで、換言すると、昇降するための操作を別途行うことなく、被収容物が昇降するので、被収容物をヒンジリッドパッケージから容易に取り出すことができる。また、本発明に係るヒンジリッドパッケージは、舌状片を備えることで、蓋部の開閉に連動してリフトアップする従来のパッケージと比較して、強度も向上し、安定的に昇降部を昇降することができる。単に、蓋部と昇降部を連結して昇降部を昇降させる構成では、蓋部と昇降部を連結する部分に負荷が集中するが、本発明では舌状片で昇降を補助することで、負荷が分散される。その結果、強度も向上し、昇降部の安定的な昇降が可能となる。また、舌状片の長さを調整することで、昇降の移動範囲を調整することができる。したがって、例えば、舌状片の長さを調整して、従来のパッケージよりも昇降の移動範囲を大きくすることができる。【００１０】
昇降部は、被収容物を載置して蓋部の開閉に連動して昇降できればよい。したがって、昇降部は、上昇した際に後側が高くなる傾斜面によって構成してもよく、また上昇した際に後方に向けて段階的に高くなる構成でもよい。また、舌状片は、連結部と接して連結部の昇降を補助できればよい。舌状片の位置、大きさ、形状、数等は、特に限定されない。【００１１】
ここで、舌状片は、連結部と接し、蓋部を開閉する際、舌状片の先端で連結部を押しながら、連結部の昇降を補助することができる。但し、連結部の前側には収容部に収容された被収容物が存在している。したがって、特に収容部が被収容物で満たされている場合、連結部が被収容物と舌状片に挟まれ、連結部の昇降が被収容物との干渉によって妨げられることが想定される。そこで、本発明では、蓋部を開閉する際、ヒンジを後側に逃がすようにしてもよい。【００１２】
具体的には、本発明に係るヒンジリッドパッケージは、前記収容部の後側角部に沿って設けられ、前記ヒンジから下側に延出する切り込みを更に備える構成としてもよい。これにより、蓋部を開閉する際、ヒンジを後側に逃がすことができ、連結部と被収容物との干渉を抑制することができる。【００１３】
具体的には、本発明に係るヒンジリッドパッケージは、前記ヒンジの下側に設けられた第２ヒンジと、前記収容部の後側角部に沿って設けられ、前記ヒンジから前記第２ヒンジ側に延出する切り込みと、を更に備える構成とすることができる。【００１４】
これにより、蓋部を開閉する際、ヒンジを後側に更に逃がすことができ、連結部と被収容物との干渉を抑制することができる。その結果、蓋部の開閉に連動して、より円滑に昇降部を昇降することができる。切り込みは、第２ヒンジまで延出していることが好ましいが、第２ヒンジよりも下側まで延出していてもよい。また、第２ヒンジを設けず、切り込みだけ設けてもよい。この場合、蓋を開閉する際、ヒンジを後方に逃がす機能は第二ヒンジを設けたときに比べ劣るが、より簡易にパッケージの組み立てを行うことができる。【００１５】
また、本発明に係るヒンジリッドパッケージでは、被収容物が上昇するため、蓋部を閉じる際、蓋部が被収容物の上側端部と干渉し、蓋部の開閉が妨げられることが想定される。そこで、本発明では、更に、ヒンジと切り込みを設けるようにしてもよい。【００１６】
具体的には、本発明に係るヒンジリッドパッケージは、前記ヒンジの上側に設けられた第３ヒンジと、前記蓋部の後側角部に沿って設けられ、前記ヒンジから前記第３ヒンジ側に延出する切り込みと、を更に備える構成でもよい。【００１７】
これにより、蓋部の開度をより大きくすることができ、蓋部と被収容物との干渉を抑制し、蓋部の開閉を更に円滑に行うことができる。その結果、被収容物をパッケージから更に容易に取り出すことができる。【００１８】
また、前記昇降部は、被収容物を複数列に分けて収容する小箱であって、前記蓋部の開閉に連動して列毎に昇降する小箱と、前記小箱を前後方向に接続する接続部とを有する構成でもよい。これにより、列毎で被収容物を昇降することができる。また、小箱同士が接続部で接続されており、蓋部の開閉に連動して、複数の小箱を昇降させることができる。【００１９】
ここで、小箱内の被収容物の数が少なくなると、例えば、被収容物が斜めになることがある。この場合、小箱が上昇しても被収容物の上側端部が突出しないことから、小箱が上昇しても被収容物の上側端部を摘めないことがある。そこで、前記小箱は、被収容物の移動を抑制する小片を有する構成でもよい。これにより、仮に被収容物の数が少なくなった場合でも、被収容物の移動が抑制され、例えば非収容物が斜めになることが低減される。その結果、被収容物の数が減った場合でも、被収容物の取り易さを維持することができる。【００２０】
また、本発明に係るヒンジリッドパッケージは、収容部が蓋部の開閉を規制する爪部を更に有する構成としてもよい。これにより、蓋部の開閉を規制することができる。【００２１】
ここで、上述したように、従来技術では、被収容物の数が減ると、被収容物を容易に取り出すことができないといった課題が存在する。【００２２】
そこで、本発明は、このような課題を解決するものとして特定することもできる。詳細には、本発明は、被収容物を収容し、被収容物を取り出す開口を有する略直方体形状の収容部と、前記開口を少なくとも覆う蓋部と、を含むパッケージであって、前記被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、前記昇降部と連結し、当該昇降部を昇降させる連結部と、を備えるパッケージである。【００２３】
本発明に係るパッケージは、昇降部が列毎で区分けされている。そのため、被収容物の数が減った場合でも、昇降部が区分けされていない場合と比較すると、被収容物の移動範囲を少なくすることができる。その結果、本発明に係るパッケージは、被収容物の数が減った場合でも、被収容物が斜めになるようなことが低減される。つまり、本発明に係るパッケージでは、被収容物を収容する小箱が列毎で昇降し、更に、被収容物が小箱に収容されることで移動範囲が少なくなるため、被収容物をパッケージから容易に取り出すことができる。また、小箱同士が接続部で接続されており、連結部の昇降に連動して、複数の小箱を昇降させることができる。更に、接続部によって、小箱同士の間に間隔を形成することができ、被収容物同士が前後方向において離間するため掴み易くなる。そのため、小箱同士が接近している場合と比較して、被収容物をパッケージから容易に取り出すことができる。【００２４】
ここで、前記昇降部は、前記小箱が上昇する際、各小箱に収容される被収容物同士の前記前後方向の間隔が、当該被収容物の上側になるにつれて徐々に広がるように昇降することができる。換言すると、小箱に収容された被収容物は、側面視扇状に広がるように上昇することができる。本発明に係るパッケージでは、列毎に小箱が上昇することに加えて、前後方向の間隔が広がることから、被収容物の上側が非常に掴み易く、小箱に収容されている被収容物を容易に取り出すことができる。【００２５】
また、前記被収容物同士の間隔は、前記接続部の前記前後方向の長さによって定めることができる。例えば、接続部の前記前後方向の長さを長くすることで、被収容物同士の間隔を長くすることができる。接続部の前記前後方向の長さは、被収容物の大きさ、形状、被収容物の主なユーザ層等に応じて適宜設計することができる。【００２６】
また、前記連結部は、前記昇降部と前記蓋部とを連結し、前記蓋部の開閉に連動して前記昇降部を昇降させるようにしてもよい。連結部は、昇降部と蓋部とを連結することで、蓋部の開閉に連動して昇降部を昇降させることができる。つまり、蓋部を開閉するだけで、換言すると、昇降するための操作を別途行うことなく、被収容物が昇降するので、被収容物をパッケージから容易に取り出すことができる。【００２７】
前記接続部は、前後の小箱の上縁同士を接続することができる。また、前記接続部は、前後の小箱の下縁同士を接続することもできる。更に、前記接続部は、前後の小箱の上縁、又は下縁以外の領域同士を接続することもできる。小箱同士の接続位置は特に限定されないが、前後の小箱の上縁同士を接続することで、前後方向における被収容物の間隔をより効率よく広げることができる。また、小箱の上縁同士を接続することで、小箱の前後方向の広がりを規制することができる。例えば、複数の接続部の前後方向の長さを統一することで、小箱同士を同一間隔で広げることができる。その結果、小箱を側面視扇状に広げた際の美観をより向上することができる。【００２８】
また、前記収容部は、前記昇降部が上昇した際、被収容物が前側に傾斜するよう、前側の少なくとも一部が開口し、前記蓋部は、前記収容部の開口を覆うようにしてもよい。収容部の前側の一部（例えば、上部）を開口することで、被収容物の取り出しが容易になり、また、前後方向における被収容物の間隔が広がり易くなる。その結果、被収容物をパッケージから更に容易に取り出すことができる。【００２９】
また、本発明に係るパッケージは、前記収容部の前側角部に沿って設けられ、前記前側の開口の縁から下側に延出する切り込みを更に備える構成としてもよい。これにより、前後方向における被収容物の間隔が広がり易くなり、その結果、被収容物をパッケージから更に容易に取り出すことができる。【００３０】
また、本発明に係るパッケージは、前記蓋部と連なり、下側に延出する舌状片であって、前記連結部と接し、前記蓋部の開閉に連動して前記連結部の昇降を補助する舌状片を更に備える構成としてもよい。【００３１】
本発明に係るパッケージは、舌状片を備えることで、従来の蓋部の開閉に連動してリフトアップするパッケージと比較して、強度も向上し、安定的に昇降部を昇降することができる。単に、蓋部と昇降部を連結して昇降部を昇降させる構成では、蓋部と昇降部を連結する部分に負荷が集中するが、舌状片が昇降を補助することで、負荷も分散される。その結果、強度も向上し、昇降部の安定的な昇降が可能となる。また、舌状片の長さを調整することで、昇降の移動範囲を調整することができ、例えば従来のパッケージよりも昇降の移動範囲を大きくすることができる。【００３２】
ここで、舌状片は、連結部と接し、蓋部を開閉する際、舌状片の先端で連結部を押しながら、連結部の昇降を補助することができる。但し、連結部の前側には収容部に収容された被収容物が存在している。したがって、特に収容部が被収容物で満たされている場合、連結部が被収容物と舌状片に挟まれ、連結部の昇降が被収容物との干渉によって妨げられることが想定される。そこで、本発明は、蓋部を開閉する際、ヒンジを後側に逃がすようにしてもよい。【００３３】
具体的には、本発明に係るパッケージは、前記ヒンジの下側に設けられた第２ヒンジと、前記収容部の後側角部に沿って設けられ、前記ヒンジから前記第２ヒンジ側に延出する切り込みと、を更に備える構成とすることができる。【００３４】
これにより、蓋部を開閉する際、ヒンジを後側に逃がすことができ、連結部と被収容物との干渉を抑制することができる。その結果、蓋部の開閉に連動して、より円滑に昇降部を昇降することができる。切り込みは、第２ヒンジまで延出していることが好ましいが、第２ヒンジよりも下側まで延出していてもよい。また、第２ヒンジを設けず、切り込みだけ設けてもよい。この場合は蓋を開閉する際、ヒンジを後方に逃がす機能は第二ヒンジを設けたときに比べ劣るが、より簡易にパッケージの組み立てを行うことができる。【００３５】
また、本発明に係るパッケージでは、被収容物が上昇するため、蓋部を閉じる際、蓋部が被収容物の上側端部と干渉し、蓋部の開閉が妨げられることが想定される。そこで、本発明では、更に、ヒンジと切り込みを設けるようにしてもよい。【００３６】
具体的には、本発明に係るパッケージは、前記ヒンジの上側に設けられた第３ヒンジと、前記蓋部の後側角部に沿って設けられ、前記ヒンジから前記第３ヒンジ側に延出する切り込みと、を更に備える構成でもよい。【００３７】
これにより、蓋部の開度をより大きくすることができ、蓋部と被収容物との干渉を抑制し、蓋部の開閉を更に円滑に行うことができる。その結果、被収容物をパッケージから更に容易に取り出すことができる。【００３８】
また、本発明に係るパッケージは、収容部が蓋部の開閉を規制する爪部を更に有する構成としてもよい。これにより、蓋部の開閉を規制することができる。【００３９】
なお、本発明は、上述した昇降部を含む昇降装置として特定することもできる。例えば、本発明は、被収容物を複数列に分けて収容し、列毎に昇降する小箱と、前記小箱を列が連なる前後方向に接続し、かつ、当該小箱の上昇に伴い、小箱同士の間に間隔を形成する接続部と、を有する昇降部と、昇降部と連結し、当該昇降部を昇降させる連結部とを備える昇降装置である。【００４０】
ヒンジリッドパッケージの収容部に収容する被収容物は特に限定されるものではないが、棒状物品の集合体、例えばたばこ商品を被収容物として好適に例示できる。すなわち、本発明に係る被収容物はたばこ商品であってもよい。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００４１】
なお、本発明における課題を解決するための手段は、可能な限り組み合わせて採用することができる。
【発明の効果】
【００４２】
本発明によれば、蓋の開閉に連動して、被収容物を昇降できる新たなヒンジリッドパッケージに関する技術を提供することができる。
【図面の簡単な説明】
【００４３】
【図１Ａ】図１Ａは、第１実施形態に係るヒンジリッドパッケージ（閉状態）を前方上部から見た透視斜視図を示す。
【図１Ｂ】図１Ｂは、第１実施形態に係るヒンジリッドパッケージ（閉状態）を後方上部から見た透視斜視図を示す。
【図２Ａ】第１実施形態に係るヒンジリッドパッケージを前方上部から見た分解斜視図を示す。
【図２Ｂ】第１実施形態に係るヒンジリッドパッケージの小箱の拡大斜視図を示す。
【図３】図３は、第１実施形態に係るヒンジリッドパッケージを前方上部から見た透視斜視図であり、ヒンジリッドパッケージの開閉状態を示す。
【図４】図４は、第１実施形態に係るヒンジリッドパッケージを後方下部から見た透視斜視図であり、ヒンジリッドパッケージの開閉状態を示す。
【図５】図５は、第１実施形態に係るヒンジリッドパッケージを側方から見た透視斜視図であり、ヒンジリッドパッケージの開閉状態を示す。
【図６】図６は、第１実施形態に係るヒンジリッドパッケージの縦断面図であり、ヒンジリッドパッケージの開閉状態を示す。
【図７Ａ】図７Ａは、第１実施形態に係るヒンジリッドパッケージのブランクを示す（１）。
【図７Ｂ】図７Ｂは、第１実施形態に係るヒンジリッドパッケージのブランクを示す（２）。
【図８Ａ】図８Ａは、第２実施形態に係るパッケージを前方上部から見た透視斜視図であり、パッケージの閉状態を示す。
【図８Ｂ】図８Ｂは、第２実施形態に係るパッケージを後方下部から見た透視斜視図であり、パッケージの閉状態を示す。
【図８Ｃ】図８Ｃは、第２実施形態に係るパッケージを前方上部から見た透視斜視図であり、パッケージの開状態を示す。
【図８Ｄ】図８Ｄは、第２実施形態に係るパッケージを後方下部から見た透視斜視図であり、パッケージの開状態を示す。
【図９Ａ】図９Ａは、第２実施形態に係るパッケージを前方上部から見た分解斜視図を示す。
【図９Ｂ】図９Ｂは、第２実施形態に係るパッケージの小箱の拡大斜視図であり、接続部を折り曲げた状態を示す。
【図９Ｃ】図９Ｃは、第２実施形態に係るパッケージの小箱の拡大斜視図であり、接続部を広げた状態を示す。
【図９Ｄ】図９Ｄは、第２実施形態に係るパッケージの小箱であり、シガレット収容前の拡大斜視図を示す。
【図９Ｅ】図９Ｅは、２実施形態に係るパッケージの小箱であり、シガレット収容後の拡大斜視図を示す。
【図９Ｆ】図９Ｆは、図９ＥのＡ−Ａ断面図を示す。
【図１０Ａ】図１０Ａは、第２実施形態に係るパッケージのうち、パッケージ本体及びリッドのブランクを示す。
【図１０Ｂ】図１０Ｂは、第２実施形態に係るパッケージのうち、小箱のブランクを示す。
【図１１】図１１は、第２実施形態に係るパッケージを前方上部から見た透視斜視図であり、パッケージの開閉状態を示す。
【図１２】図１２は、第２実施形態に係るパッケージを前方下部から見た透視斜視図であり、パッケージの開閉状態を示す。
【図１３】図１３は、第２実施形態に係るパッケージを後方下部から見た透視斜視図であり、パッケージの開閉状態を示す。
【図１４】図１４は、第２実施形態に係るパッケージを側方から見た透視斜視図であり、パッケージの開閉状態を示す。
【図１５Ａ】図１５Ａは、第２実施形態に係るパッケージの動作説明図（１）を示す。
【図１５Ｂ】図１５Ｂは、第２実施形態に係るパッケージの動作説明図（２）を示す。
【図１６】図１６は、変形例１に係るパッケージを側方から見た透視斜視図であり、ヒンジリッドパッケージの開閉状態を示す。
【図１７】図１７は、変形例２に係るヒンジリッドパッケージ（閉状態）を後方上部から見た透視斜視図を示す。
【発明を実施するための形態】
【００４４】
次に、本発明に係るヒンジリッドパッケージの実施形態について、図面に基づいて説明する。本発明が適用されるヒンジリッドパッケージに収容する被収容物は特定のものに限定されないが、ここでは、フィルタシガレットや両切シガレット等のたばこ商品をパッケージに収容する場合を例に説明する。また、本実施形態に記載されている構成要素の、材質、形状、その相対配置等は、特に特定的な記載がない限りは、発明の技術的範囲をそれらのみに限定する趣旨のものではない。
【００４５】
＜第１実施形態＞
＜＜構成＞＞
第１実施形態に係るヒンジリッドパッケージ（以下、単に“パッケージ”という）１０１は、略直方体形状を有する所謂ヒンジ蓋付きボックス型パッケージである。パッケージ１０１は、収容部としてのパッケージ本体１と、パッケージ本体１に第１ヒンジＨ１を介して回動自在に連結される蓋部としてのリッド２と、内部にリッド２の開閉に連動して昇降する昇降部としての小箱３と、リッド２と小箱３とを連結する連結部としての連結プレート４と、連結プレート４の昇降を補助する補助部としての舌状片５とを主な構成とする。以下、本明細書では、特に言及する場合を除いて、パッケージ１００ａの正面側を“前方”と定義し、背面側を“後方”と定義する。また、パッケージ１００ａのリッド側を“上方”と定義し、反対側（パッケージの底側）を“下方”と定義する。また、パッケージ１００ａの側壁側を“側方”又は“横方向”と定義する。第１実施形態に係るパッケージ１０１は、例えば紙材、又は樹脂によって構成することができるが、これには限定されない。
【００４６】
＜＜パッケージ本体＞＞
パッケージ本体１は、シガレット６を収容するもので、直方体形状の上端側が斜めに切り欠かれた形状を有する箱体である。パッケージ本体１は、パッケージ本体の前壁１１、パッケージ本体の後壁１２、パッケージ本体の側壁１３、パッケージ本体の下壁１４を有する。パッケージ本体の前壁１１及びパッケージ本体の後壁１２は夫々長方形であり、パッケージ本体の前壁１１はパッケージ本体の後壁１２に比べて高さ寸法が長尺の長方形であり、パッケージ本体の後壁１２と対向している。一組のパッケージ本体の側壁１３は、パッケージ本体の前壁１１及びパッケージ本体の後壁１２の両側縁と連結され、長方形の上端が斜辺となった台形状である。すなわち、パッケージ本体の側壁１３の上端縁１３１は、パッケージ本体の前壁１１の上端とパッケージ本体の後壁１２の上端とを結ぶように傾斜している。パッケージ本体の下壁１４は、長方形であり、パッケージ本体の前壁１１及びパッケージ本体の後壁１２の下端に連結されている。また、パッケージ本体の後壁１２には、第１ヒンジＨ１、舌状片５、第２ヒンジＨ２、切り込み７が形成されている。
【００４７】
第１ヒンジＨ１は、パッケージ本体の後壁１２とリッドの後壁２２との境界に形成され、後部間に亘って延伸し、パッケージ本体の後壁１２とリッド２とを相互に回動自在に連結している。
【００４８】
舌状片５は、第１ヒンジＨ１の中央付近から下方に向けて形成されている。舌状片５は、パッケージ本体の後壁１２を第１ヒンジＨ１の中央付近でＵ字状に切り欠くことで形成されている。舌状片５は、リッドの後壁２２と連なっており、リッド２の開閉に連動して回動し、先端が昇降する。また、舌状片５は、内面が連結プレート４の外面と接している。そのため、舌状片５がリッド２の開閉に連動して回動すると、舌状片５と接する連結プレート４も舌状片５の動きに連動して昇降する。本実施形態の舌状片５は、下端縁が湾曲している。但し、舌状片５の形状は、特に限定されず、例えば矩形状でもよい。
【００４９】
第２ヒンジＨ２は、第１ヒンジＨ１及び舌状片５よりも下方で、後部間に亘って延伸している。第２ヒンジＨ２は、リッド２の回動軸の一つとして機能するとともに、リッド２の開閉時、第１ヒンジＨ１を後方に逃がす。
【００５０】
切り込み７は、パッケージ本体の後壁とパッケージ本体の側壁１３との間に形成される角部のうち、第１ヒンジＨ１から第２ヒンジＨ２まで形成されている（例えば、図２Ａ参照）。切り込み７は、リッド２の開閉時、第２ヒンジＨ２とともに第１ヒンジＨ１を後方に逃がす。また、切り込み７は、リッド２の開度をより大きくする機能を担う。
【００５１】
以上のように構成されるパッケージ本体１は、上端に開口を備えている。そして、この開口の後側縁に、第１ヒンジＨ１を介してリッド２が、回動（旋回）自在に接合（連結）されている。
【００５２】
＜＜リッド＞＞
リッド２は、パッケージ本体１の開口を覆う。リッド２は、第１ヒンジＨ１に連結されている長方形のリッドの後壁２２と、リッドの後壁２２に直交するように連結されている長方形のリッドの上壁２４と、リッドの上壁２４と直交するように連結されている一組の三角形のリッドの側壁２３とを有している。リッドの側壁２３は、夫々が、リッドの後壁２２、リッドの上壁２４の各側縁と連結されている。リッド２が開状態では、パッケージ本体１の開口からシガレット６の出し入れが自在となる（例えば、図３参照）。一方で、リッド２が閉状態では、リッドの側壁２３の斜辺、すなわち傾斜する下端縁２３１とパッケージ本体の側壁１３の斜辺、すなわち傾斜する上端縁１３１とが合致する。また、リッドの上壁２４の前側縁２４１と、パッケージ本体の前壁１１の上端縁１１１とが合致する。その結果、パッケージ本体１の開口がリッド２によって覆われ、パッケージ本体１の内部が閉空間となる。また、本実施形態では、リッドの上壁２４の内面のうち、前側縁の近傍かつ中央付近に、下方に向けて僅かに突出するリッドの爪２５が形成されている。リッドの爪２５は、リッド２が閉状態において、パッケージ本体の前壁１１の上端縁１１１と係合する。これにより、リッド２の閉状態が維持される。
【００５３】
＜＜連結プレート＞＞
連結プレート４は、リッド２と小箱３とを連結し、リッド２の開閉に連動して小箱３を昇降させる。連結プレート４は、長方形のプレートからなり、一端がリッドの後壁２２の内面に接続され、他端が後方小箱３３の後壁３１２に連なっている。また、連結プレート４は、上下方向の中央よりも上側に横方向に延びる直線状の折れ部４１が形成されている。より詳細には、折れ部４１は、舌状片５の下端縁と合致する位置に形成されている。連結プレート４は、リッド２が閉状態では、平面状である。一方、連結プレート４は、リッド２が開状態では、リッド２が後方に倒れるように、折れ部４１で折れ曲がる。なお、連結プレート４を可撓性部材で構成した場合、連結プレート４が撓むことができる。この場合、折れ部４１は省略することができる。
【００５４】
＜＜小箱＞＞
図２Ａ、図２Ｂに示すように、小箱３は、前方小箱３１、中央小箱３２、後方小箱３３からなり、各小箱３が接続部８を介して前後方向に相互に接続されている。各小箱３は、シガレット６が横方向に連なるように、シガレット６を列状に収容し、リッド２の開閉に連動して昇降する。
【００５５】
前方小箱３１は、パッケージ本体の前壁１１側に位置し、７本のシガレットを列状に収容する。後方小箱３３は、パッケージ本体の後壁１２側に位置し、前方小箱３１と同じく、７本のシガレットを列状に収容する。中央小箱３２は、前方小箱３１と後方小箱３３に挟まれ、６本のシガレットを列状に収容する。各小箱３は、小箱の前壁３１１、小箱の後壁３１２、小箱の側壁３１３、小箱の下壁３１４を有する。小箱の前壁３１１及び小箱の後壁３１２は、夫々横長の長方形であり、ほぼ同じ面積であり、対向している。小箱の側壁３１３は、小箱の前壁３１１及び小箱の後壁３１２の両側縁と連結され、縦長の長方形である。小箱の下壁３１４は、長方形であり、小箱の前壁３１１及び小箱の後壁３１２の下端縁に連結されている。なお、後方小箱３３の後壁３１２には、上方に延出する、当該後壁３１２と一体的に形成された連結プレート４が連なっている。
【００５６】
小箱の前壁３１１には、シガレット６の移動を規制するための小片９が一方の小箱の側壁３１３側に形成されている。この小片９は、小箱の前壁３１１の幅の半分程度の幅を有し、小箱の内側に突出している。小片９には、幅方向に折れ部９１が形成され、小片は折れ部９１を中心に湾曲しており、弾性部材として機能する。そして、小片９は、小箱３に収容されるシガレット６を内側に押圧することで、シガレット６の移動を規制する。小箱の後壁３１２にも、同様の小片９が他方の小箱の側壁３１３側に形成されている。
【００５７】
接続部８は、パッケージ本体の前壁１１と前方小箱３１とを接続する第１接続部８１、前方小箱３１と中央小箱３２とを接続する第２接続部８２、中央小箱３２と後方小箱３３とを接続する第３接続部８３を含む。第１接続部８１は、パッケージ本体の前壁１１の内面に接続され、パッケージ本体の前壁１１と平行なプレート状の前方接続部８１１と、上端縁が前方小箱３１の前壁３１１の上端縁に接続され、下端縁が前方接続部８１１の下端縁と接続され、前方小箱３１の前壁３１１と平行な後方接続部８１２とを備える。後方接続部８１２の下部は、折畳自在な折畳部８１３によって形成されている。そのため、後方接続部８１２は、折畳部８１３の状態により、上下方向の長さが変化する。折畳部８１３は、第１山折部８１４、第１小プレート８１５、第２山折部８１６、第２小プレート８１７、谷折部８１８を含み、各折部で折れ曲がることで、上下方向の長さが変化する。前方接続部８１１は、パッケージ本体の前壁１１の内面に接続される糊代であり、糊代として機能するために必要な上下方向の長さを有している。後方接続部８１２の上下方向の長さは前方接続部８１１の上下方向の長さよりも長い。後方接続部８１２は、折畳部８１３が縮んだ状態よりも伸びた状態において、上下方向の長さが長くなる。したがって、第１接続部８１の後方接続部８１２に接続される前方小箱３１も上下方向に移動すること、換言すると昇降することが可能となる。第２接続部８２、及び第３接続部８３は、構成が同じである。第３接続部８３を例に説明すると、前方接続部８３１の上端縁が、中央小箱３２の後壁３１２の上端縁に接続される点で第１接続部８１と異なるが、それ以外の構成は同じである。折畳部８１３が折り畳まれた状態では、後方接続部８３２の上下方向の長さは前方接続部８３１の上下方向の長さと同じである。一方、折畳部８３３が伸びた状態では、後方接続部８３２の上下方向の長さは前方接続部８３１の上下方向の長さよりも長くなる。したがって、第３接続部８３の後方接続部８３２に接続される後方小箱３３も上下方向に移動すること、換言すると昇降することが可能となる。
【００５８】
＜＜ブランク＞＞
第１実施形態において、パッケージ１０１は、パッケージ本体１及びリッド２を成形する第１ブランクＢ１と、連結プレート４及び小箱３を成形する第２ブランクＢ２の各所を折り込み、接合することで成形することができる。図７Ａは、第１ブランクＢ１を示し、図７Ｂは、第２ブランクＢ２を示す。第１ブランクＢ１，第２ブランクＢ２にはカード紙、マニラボール紙等の紙材、又はプラスチックシートなどの樹脂を用いることができるが、これらに限定されるものではない。また、ブランクの説明では、図の上下方向を基準に説明する。
【００５９】
＜＜第１ブランクＢ１＞＞
図７Ａに示すように、第１ブランクＢ１は、パッケージ本体１となる本体区域Ｒ１、リッド２となる蓋区域Ｒ２を有している。本体区域Ｒ１は、パッケージ本体の前壁１１となる本体の前壁パネルＰ１を有しており、本体の前壁パネルＰ１の両側縁には、パッケージ本体の側壁１３となる本体の側壁パネルＰ２,Ｐ２が連なっている。
【００６０】
また、本体の前壁パネルＰ１の上縁（図７Ａにおける上縁）には、パッケージ本体の下壁１４となる本体の下壁（底板）パネルＰ３が連なっている。本体の下壁パネルＰ３には、本体の前壁パネルＰ１とは反対側に位置してパッケージ本体の後壁１２となる本体の後壁パネルＰ４が連なっている。本体の後壁パネルＰ４の両側縁には、パッケージ本体の側壁１３となる本体のインナサイドフラップＰ５,Ｐ５が連なっている。また、本体のインナサイドフラップＰ５,Ｐ５の下縁には、本体のインナボトムフラップＰ６が連なっており、これら本体のインナボトムフラップＰ６は本体の下壁パネルＰ３に重ね合わされ、パッケージ本体の下壁１４の補強をなす。また、本体の後壁パネルＰ４には、第２ヒンジＨ２となる第２ヒンジラインＬ２が形成されている。また、本体の後壁パネルＰ４の両縁には、上縁（後述する第１ヒンジラインＬ１）から第２ヒンジラインＬ２まで切り込み７となる直線状の切欠きＣ１が形成されている。
【００６１】
蓋区域Ｒ２は、リッドの後壁２２となるリッドの後壁パネルＰ７を有しており、リッドの後壁パネルＰ７の下縁は、第１ヒンジＨ１となる第１ヒンジラインＬ１を介して本体区域Ｒ１の本体の後壁パネルＰ４と連結されている。また、リッドの後壁パネルＰ７には、舌状片５を形成するＵ字状の切欠きＣ２が形成されている。また、蓋区域Ｒ２のリッドの後壁パネルＰ７の上縁には、リッドの上壁２４となるリッドの上壁パネルＰ８が連なっている。リッドの上壁パネルＰ８の両縁には、リッドの側壁となるリッドの側壁パネルＰ９，Ｐ９が夫々連なっている。また、リッドの後壁パネルＰ７の両側縁には、リッドの側壁２３の一部となるリッドのインナサイドフラップＰ１０が夫々連なっている。そして、リッドのインナサイドフラップＰ１０がリッドの側壁パネルＰ９に重ね合わされ、リッドの側壁２３の補強をなす。
【００６２】
更に、リッドの上壁パネルＰ８の上縁には、折り返されてリッドの上壁２４の補強をなす、リッドのインナトップフラップＰ１１が連なっている。リッドのインナボトムフラップＰ１１には、リッドの爪２５となる逆Ｕ字状の切欠きＣ３が形成されている。
【００６３】
＜＜第２ブランクＢ２＞＞
図７Ｂに示すように、第２ブランクＢ２は、接続部８となる接続領域Ｒ３−１，Ｒ３−２，Ｒ３−３、小箱３となる小箱領域Ｒ４−１，Ｒ４−２，Ｒ４−３、連結プレート４となる連結領域Ｒ５を有している。これらの領域は、接続領域Ｒ３−１、小箱領域Ｒ４−１、接続領域Ｒ３−２、小箱領域Ｒ４−２、接続領域Ｒ３−３、小箱領域Ｒ４−３、連結領域Ｒ５の順に連なっている。
【００６４】
接続領域Ｒ３−１，Ｒ３−２，Ｒ３−３は、前方接続部８１１となる前方接続パネルＰ２１、第１小プレート８１５となる第１小パネルＰ２２、第２小プレート８１７となる第２小プレートＰ２３、後方接続部８１２となる後方接続パネルＰ２４を有する。前方接続パネルＰ２１の上縁に第１小パネルＰ２２が連なり、第１小パネルＰ２２の上縁に第２小パネルＰ２３が連なり、第２小パネルＰ２３の上縁に後方接続パネルＰ２４が連なっている。上記のように構成される接続領域Ｒ３−１には、小箱領域Ｒ４−１が連なっている。第１接続部８１の前方接続部８１１となる前方接続パネルＰ２１は、第２接続部８２及び第３接続部８３の前方接続部８１１となる前方接続パネルＰ２１よりも上下方向の長さが短く形成されている。
【００６５】
小箱領域Ｒ４−１，Ｒ４−２，Ｒ４−３は、小箱の前壁３１１となる小箱の前壁パネルＰ２５を有している。小箱の前壁パネルＰ２５には、小片９となる切欠きＣ４が形成されている。また、小箱の前壁パネルＰ２５の両側縁には、小箱の側壁３１３となる小箱の側壁パネルＰ２６，Ｐ２６が連なっている。また、小箱の前壁パネルＰ２５の上縁には、小箱の下壁３１４となる小箱の下壁パネルＰ２７が連なっている。また、小箱の下壁パネルＰ２７の上縁には、小箱の後壁３１２となる小箱の後壁パネルＰ２８が連なっている。この小箱の後壁パネルＰ２８には、小片９となる切欠きＣ４が形成されている。また、小箱の後壁パネルＰ２８の両側縁には、小箱の側壁３１３を補強する小箱のインナサイドフラップＰ２９，Ｐ２９が連なっている。また、小箱のインナサイドフラップＰ２９，Ｐ２９の下縁には、小箱のインナボトムフラップＰ３０が連なっており、これら小箱のインナボトムフラップＰ３０は小箱の下壁パネルＰ２７に重ね合わされ、小箱の下壁３１４の補強をなす。
【００６６】
連結領域Ｒ５は、連結プレート４となる連結パネルＰ３１を有している。連結パネルＰ３１には、直線状の折れ部４１となるラインＬ３が形成されている。
【００６７】
上述した第１ブランクＢ１は、図７Ａ中破線で示した折り込み線で夫々折り込まれる。その結果、図１から図６に示すようなパッケージ本体１とリッド２を含むパッケージ１０１が成形される。第１ブランクＢ１の本体区域Ｒ１においては、各折り込み線で折り込まれ、本体のインナボトムフラップＰ６が本体の下壁パネルＰ３に重ねられ、本体のインナサイドフラップＰ５が本体の側壁パネルＰ２に接着されることで、パッケージ本体１が成形される。
【００６８】
一方、第１ブランクＢ１の蓋区域Ｒ２においては、各折り込み線で折り込まれ、リッドのインナサイドフラップＰ１０がリッドの側壁パネルＰ９に接着され、リッドのインナトップフラップＰ１１がリッドの上壁パネルＰ８に重ねられることで、リッド３が成形される。
【００６９】
上述した第２ブランクＢ２は、図７Ｂ中破線で示した折り込み線で夫々折り込まれる。その結果、図１から図６に示すような小箱３、接続部８、連結プレート４が成形される。第２ブランクＢ２の接続領域Ｒ３−１，Ｒ３−２，Ｒ３−３においては、各折り込み線で折り込まれることで接続部８が成形される。第２ブランクＢ２の小箱領域Ｒ４−１，Ｒ４−２，Ｒ４−３では、小箱のインナボトムフラップＰ３０が小箱の下壁パネルＰ２７に重ねられ、小箱のインナサイドフラップＰ２９が小箱の側壁パネルＰ２６に接着されることで、小箱３が成形される。
【００７０】
図２Ａ、図２Ｂに示すように、連結プレート４の上部がリッド２に接着され、第１接続部８１の前方接続部８１１がパッケージ本体の前壁１２に接続されることで、パッケージ１０１が成形される。
【００７１】
＜＜開閉動作＞＞
次に、パッケージ１０１におけるリッド２の開閉動作について説明する。以下に説明する動作は、リッド２の開閉に連動して行われる。
【００７２】
図１Ａ、図１Ｂに示すように、パッケージ１０１は、リッド２が閉状態では、リッド２がパッケージ本体１の開口を覆っている。パッケージ１０１に収容されているシガレット６を取り出す必要が無い場合は、通常、パッケージ１０１は、閉状態である。閉状態では、リッドの爪２５がパッケージ本体の前壁１１の上端縁と係合しており、リッド２の開閉が規制されている。
【００７３】
図３から図６に示すように、パッケージ１０１に収容されているシガレット６を取り出す場合、リッド２が開かれる。具体的には、リッドの爪２５とパッケージ本体の前壁１１の上端縁との係合が解除され、リッド２が回動し始める（図３（ａ）、図４（ａ）、図５（ａ）、図６（ａ））。パッケージ１０１は、第１ヒンジＨ１と第２ヒンジＨ２を備えており、リッド２は、第１ヒンジＨ１と第２ヒンジＨ２の双方を軸に回動する。図３（ａ）、図４（ａ）、図５（ａ）、図６（ａ）に示すように、回動序盤では、リッド２は、第１ヒンジＨ１よりも、第２ヒンジＨ２を軸に回動する。リッド２の回動に連動して、連結プレート４が徐々に引き上げられ、上昇し始める。また、リッド２に連動して舌状片５が第１ヒンジＨ１を軸として回動し始める。その際、舌状片５は、連結プレート４を前方に押しながら、連結プレート４を上昇させる。舌状片５が連結プレート４を前方に押す力の反力により、第１ヒンジＨ１が後方に徐々に移動する。また、連結プレート４は、リッド２に引き上げられるとともに、舌状片５によって押し上げられる。その結果、連結プレート４がリッド２に連動して上昇し始め、連結プレート４が上昇し始めることで、第３接続部の後方接続部８１２の折畳部８１３が伸び始める。その結果、小箱３のうち、まずは、後方小箱３３が徐々に上昇し始める。
【００７４】
図３（ｂ）、図４（ｂ）、図５（ｂ）、図６（ｂ）に示すように、回動中盤では、リッド２は、第２ヒンジＨ２よりも、第１ヒンジＨ１を軸に回動する。リッド２の回動に連動して、連結プレート４が更に引き上げられ、上昇する。また、リッド２に連動して舌状片５が第１ヒンジＨ１を軸として更に回動する。その際、舌状片５は、連結プレート４を前方に押しながら、連結プレート４を上昇させる。舌状片５が水平になると、連結プレート４を前方に押す力の反力がより強く作用し、第１ヒンジＨ１が後方に更に移動する。また、連結プレート４は、リッド２に引き上げられるとともに、舌状片５によって更に押し上げられる。その結果、第３接続部の後方接続部８１２の折畳部８１３に続いて、第２接続部の後方接続部８１２の折畳部８１３も伸び始める。その結果、小箱３のうち、後方小箱３３に続いて中央小箱３２も徐々に上昇し始める。
【００７５】
図３（ｃ）、図４（ｃ）、図５（ｃ）、図６（ｃ）に示すように、回動終盤では、リッド２は、第２ヒンジＨ２よりも、第１ヒンジＨ１を軸に回動する。リッド２の回動に連動して、連結プレート４が更に引き上げられ、上昇する。また、リッド２に連動して舌状片５が第１ヒンジＨ１を軸として更に回動する。その際、舌状片５は、連結プレート４を前方、又は斜め上方に押しながら、連結プレート４を上昇させる。舌状片５が垂直状態から徐々に傾斜し水平状態となり、更に水平状態から徐々に傾斜し始めると、連結プレート４を前方に押す力の反力は徐々に弱まり、リッド２を開くために加えられる下向きの力が第１ヒンジＨ１を支点として連結プレート４を上昇させる力に変換される。また、連結プレート４は、リッド２に引き上げられるとともに、舌状片５によって更に押し上げられる。その結果、第３接続部の後方接続部８１２の折畳部８１３に続いて、第２接続部の後方接続部８１２の折畳部８１３、更に、第１接続部の後方接続部８１２も伸び始める。その結果、全ての小箱３が上昇する。また、後方小箱３３が最も高く上昇し、次に、中央小箱３２が高く上昇し、最後に、前方小箱３１が上昇する。
【００７６】
＜＜効果＞＞
第１実施形態に係るパッケージ１０１は、シガレット６を収容する小箱３がリッド２の開閉に連動して昇降する。そのため、リッド２を開閉するだけで、換言すると、昇降するための操作を別途行うことなく、シガレット６が昇降するので、シガレット６をパッケージ１０１から容易に取り出すことができる。また、実施形態に係るパッケージ１０１は、舌状片５を備えることで、蓋部の開閉に連動してリフトアップする従来のパッケージと比較して、強度も向上し、安定的に小箱３を昇降することができる。単に、蓋部と昇降部を連結して昇降部を昇降させる構成では、蓋部と昇降部を連結する部分に負荷が集中するが、第１実施形態に係るパッケージ１０１では、舌状片５で昇降を補助することで、負荷も分散される。その結果、強度も向上し、小箱３の安定的な昇降が可能となる。また、舌状片５の長さと連結プレートの折れ部４１の位置を調整することで、昇降の移動範囲を調整することができ、例えば従来のパッケージよりも昇降の移動範囲を大きくすることができる。
【００７７】
また、第１実施形態に係るパッケージ１０１では、小箱３が列毎で区分けされ、更に、小箱３には小片９が設けられている。そのため、シガレット６の数が減った場合でも、シガレット６の移動を抑制することができる。その結果、第１実施形態に係るパッケージ１０１は、シガレット６の数が減った場合でも、シガレット６が斜めになり難いので、シガレット６が取り出し難くなることが少ない。つまり、第１実施形態に係るパッケージ１０１では、シガレット６を収容する小箱３が列毎で昇降し、更に、小箱３に収容されたシガレット６の移動範囲が少ないため、シガレット６の数に関わらず、シガレット６をパッケージ１０１から容易に取り出すことができる。
【００７８】
＜第２実施形態＞
例えば図１１に示すように、第２実施形態に係るパッケージ１００ａは、リッド２ａの開閉に連動して各小箱３ａが列毎に昇降する。更に、小箱３ａ同士を接続する接続部８ａによって、小箱３ａ同士の間に間隔が形成される。その結果、シガレット６は、列毎に上昇するだけでなく、前後方向において互いに間隔が形成される。そのため、シガレット６がより掴み易く、パッケージ１００ａから取り出しやすくなっている。
【００７９】
図８Ａから図８Ｄ、及び図９Ａから図９Ｃ等に示すように、第２実施形態に係るパッケージ１００ａは、直方体形状を有する所謂ヒンジ蓋付きボックス型パッケージである。パッケージ１００ａは、収容部としてのパッケージ本体１ａと、パッケージ本体１ａに第１ヒンジＨ１を介して回動自在に連結される蓋部としてのリッド２ａと、リッド２ａの開閉に連動して昇降する昇降部として小箱３ａと、リッド２ａと小箱３ａと連結する連結部としての連結プレート４ａと、連結プレート４ａの昇降を補助する補助部としての舌状片５ａとを主な構成とする。第２実施形態に係るパッケージ１００ａは、例えば紙材、又は樹脂によって構成することができるが、これには限定されない。
【００８０】
＜＜パッケージ本体＞＞
パッケージ本体１ａは、シガレット６を収容するもので、直方体形状の上端側が斜めに切り欠かれるとともに、前方が大きく開放された形状を有する箱体である。パッケージ本体１ａは、パッケージ本体の前壁１１ａ、パッケージ本体の後壁１２ａ、パッケージ本体の側壁１３ａ、パッケージ本体の下壁１４ａを有する。パッケージ本体の後壁１２ａは縦長の長方形である。一方、パッケージ本体の前壁１１ａは、パッケージ本体の後壁１２ａに比べて高さ寸法が短く形成されている。パッケージ本体の前壁１１ａとパッケージ本体の後壁１２ａは対向している。一組のパッケージ本体の側壁１３ａは、パッケージ本体の前壁１１ａ及びパッケージ本体の後壁１２ａの両側縁と連結され、長方形の上端が曲線状の斜辺となった形状である。パッケージ本体の側壁１３ａの上端縁１３１ａは、パッケージ本体の前壁１１ａ側が低くなるように傾斜している。パッケージ本体の下壁１４ａは、長方形であり、パッケージ本体の前壁１１ａ、パッケージ本体の後壁１２ａ、及びパッケージ本体の側壁１３ａの下端縁に連結されている。また、パッケージ本体の後壁１２ａには、第１ヒンジＨ１、舌状片５ａ、第２ヒンジＨ２、切り込み７ａが形成されている。
【００８１】
第１ヒンジＨ１は、パッケージ本体の後壁１２ａとリッドの後壁２２ａとの境界に形成され、後部間に亘って延伸し、リッド２ａの回動軸の一つとして機能するとともに、リッド２ａの開閉時、第３ヒンジＨ３を後方に逃がす。
【００８２】
舌状片５ａは、第１ヒンジＨ１の中央付近から下方に向けて形成されている。舌状片５ａは、パッケージ本体の後壁１２ａを第１ヒンジＨ１の中央付近でＵ字状に切り欠くことで形成されている。舌状片５ａは、リッドの後壁２２ａと連なっており、リッド２ａの開閉に連動して回動し、先端が昇降する。また、舌状片５ａは、内面が連結プレート４ａの外面と接している。そのため、舌状片５ａがリッド２ａの開閉に連動して回動すると、舌状片５ａと接する連結プレート４ａも舌状片５ａの動きに連動して昇降する。本実施形態の舌状片５ａは、下端縁が湾曲している。但し、舌状片５ａの形状は、特に限定されず、例えば矩形状でもよい。
【００８３】
第２ヒンジＨ２は、パッケージ本体の後壁１２ａのうち、第１ヒンジＨ１及び舌状片５ａよりも下方に形成され、後部間に亘って延伸している。第２ヒンジＨ２は、リッド２ａの回動軸の一つとして機能するとともに、リッド２ａの開閉時、第１ヒンジＨ１及び第３ヒンジＨ３を後方に逃がす。
【００８４】
切り込み７ａは、パッケージ本体の後壁１２ａとパッケージ本体の側壁１３ａとの間に形成される角部、及びリッドの後壁２２ａとリッドの側壁２３ａとの間に形成される角部に形成され、第３ヒンジＨ３から第２ヒンジＨ２まで形成されている。切り込み７ａは、リッド２ａの開閉時、第１ヒンジＨ１及び第２ヒンジＨ２とともに、第１ヒンジＨ１及び第３ヒンジＨ３を後方に逃がす。また、切り込み７ａは、リッド２ａの開度をより大きくする機能を担う。なお、第２ヒンジＨ２を設けず、切り込み７ａだけ設けてもよい。この場合、リッド２ａを開閉する際、第１ヒンジＨ１及び第３ヒンジＨ３を後方に逃がす機能は第二ヒンジＨ２を設けたときに比べ劣るが、より簡易にパッケージの組み立てを行うことができる。
【００８５】
以上のように構成されるパッケージ本体１ａは、パッケージ本体の後壁１２ａ上端縁に、第１ヒンジＨ１を介してリッド２ａが、回動（旋回）自在に接合（連結）されている。
【００８６】
＜＜リッド＞＞
リッド２ａは、パッケージ本体１ａの開口を覆う。リッド２ａは、第１ヒンジＨ１に連結されている長方形のリッドの後壁２２ａと、リッドの上壁２４ａと、一組の長方形のリッドの側壁２３ａと、リッドの前壁２０ａと、リッドの下壁２６ａとを備える箱型形状である。リッドの後壁２２ａは、リッドの前壁２０ａと対向するが、その面積は、リッドの前壁２０ａと比較すると非常に小さい。そのため、リッド２ａは、後方の殆どの領域が開放された（リッドの後壁２２ａ以外の領域が全て開放された）箱型形状である。リッドの側壁２３ａには、リッド２ａの開閉時に、リッド２ａを操作するための、半円状に切り欠かれた操作部２７ａが形成されている。リッド２ａが開状態では、パッケージ本体１ａの開口（上方、及び前方）からシガレット６の出し入れが自在となる。一方で、リッド２ａが閉状態では、リッド２ａがパッケージ本体１ａの開口を含め、パッケージ本体１ａの後壁を除く領域を包み込むように覆う。
【００８７】
リッドの上壁２４ａとリッドの後壁２２ａとの間の境界（閉状態において角部）には、第３ヒンジＨ３が形成されている。第３ヒンジＨ３は、リッドの後壁２２ａの上端縁に形成され、後部間に亘って延伸している。第３ヒンジＨ３は、リッド２ａの回動軸の一つとして機能する。
【００８８】
＜＜連結プレート＞＞
連結プレート４ａは、リッド２ａと小箱３ａとを連結し、リッド２ａの開閉に連動して小箱３ａを昇降させる。連結プレート４ａは、長方形のプレートからなり、一端がリッドの後壁２２ａ及び上壁２４ａの内面に接続され、他端が、小箱３ａのうち、後方小箱３３ａの後壁３１２ａに連なっている。また、連結プレート４ａは、上下方向の中央よりも上側に横方向に延びる直線状の折れ部４１ａが形成されている。より詳細には、折れ部４１ａは、舌状片５ａの下端縁（先端縁）と合致する位置に形成されている。連結プレート４ａの折れ部４１ａは、リッド２ａが閉状態では、平面状である。一方、連結プレート４ａの折れ部４１ａは、リッド２ａが開状態では、リッド２ａが後方に倒れるように折れ曲がる。折れ部４１ａの位置と舌状片５ａの長さを調整することで、小箱３ａが上昇する量を適宜変更することができる。なお、連結プレート４ａを可撓性部材で構成した場合、連結プレート４ａが撓むことができる。この場合、折れ部４１ａは省略することができる。また、連結プレート４ａを可撓性部材で構成した場合、舌状片５ａの長さを調整するだけで、小箱３ａが上昇する量を適宜変更することができる。
【００８９】
＜＜小箱＞＞
特に、図９Ａから図９Ｆに示すように、小箱３ａは、前方小箱３１ａ、中央小箱３２ａ、後方小箱３３ａからなり、各小箱３ａが接続部８ａを介して前後方向に相互に連なっている。各小箱３ａは、シガレット６が横方向に連なるように、シガレット６を列状に収容し、リッド２ａの開閉に連動して昇降する。
【００９０】
前方小箱３１ａは、パッケージ本体の前壁１１ａ側に位置し、７本のシガレットを列状に収容する。後方小箱３３ａは、パッケージ本体の後壁１２ａ側に位置し、前方小箱３１ａと同じく、７本のシガレットを列状に収容する。中央小箱３２ａは、前方小箱３１ａと後方小箱３３ａに挟まれ、６本のシガレットを列状に収容する。各小箱３ａは、小箱の前壁３１１ａ、小箱の後壁３１２ａ、小箱の側壁３１３ａ、小箱の下壁３１４ａを有する。小箱の前壁３１１ａ及び小箱の後壁３１２ａは、夫々横長の長方形であり、対向している。各小箱３ａでは、小箱の後壁３１２ａの高さ寸法が、小箱の前壁３１１ａよりも高く形成されている。具体的には、図９Ｂ、及び図９Ｃに示すように、第２接続部８２ａや第３接続部８３ａの高さ寸法に相当する長さ分だけ、小箱の後壁３１２ａの高さ寸法が、小箱の前壁３１１ａよりも高く形成されている。後方小箱３３ａの後壁３１２ａは、連結プレート４ａと連なっており、連結プレート４ａとの境界が明らかではないが、前方小箱３１ａや中央小箱３２ａの後壁３１２ａと同じ高さ寸法を有している。小箱の側壁３１３ａは、縦長の長方形であり、小箱の前壁３１１ａ及び小箱の後壁３１２ａの両側縁と連結されている。小箱の下壁３１４ａは、長方形であり、小箱の前壁３１１ａ、小箱の後壁３１２ａ、及び小箱の側壁３１３ａの下端縁に連結されている。なお、後方小箱３３ａの後壁３１２ａには、上方に延出する、当該後壁と一体的に形成された連結プレート４ａが連なっている。また、前方小箱３１ａの前壁３１１ａには、当該前壁と一体的に形成された第１接続部８１ａが連なっている。
【００９１】
接続部８ａは、パッケージ本体の前壁１１ａと前方小箱３１ａとを接続する第１接続部８１ａ、前方小箱３１ａと中央小箱３２ａとを接続する第２接続部８２ａ、中央小箱３２ａと後方小箱３３ａとを接続する第３接続部８３ａを含む。第１接続部８１ａは、前方小箱３１ａの前壁３１１ａの上端縁に接続された長方形のプレートであり、パッケージ本体の前壁１１ａに連なっている。第１接続部８１ａは、上下方向の中心付近に横方向に延びる折れ部８１１ａが形成されている。折れ部８１１ａが前壁１１ａの上縁よりも高い位置にあることで、前方小箱３１ａが前方に倒れることができる。この折れ部８１１ａよりも下側の接続領域８１２ａが、パッケージ本体の前壁１１ａの内面と接続される。一方、折れ部８１１ａよりも上方の非接続領域８１３ａは、上端縁が、前方小箱３１ａの前壁３１１ａの上端縁に連なっている。第２接続部８２ａは、細長い小プレートからなり、前方小箱３１ａの後壁の上端縁と中央小箱３２ａの前壁３１１ａの上端縁と連なっている。第３接続部８３ａは、第２接続部８２ａと同様に、細長い小プレートからなり、中央小箱３２ａの後壁３１２ａの上端縁と後方小箱３３ａの前壁３１１ａの上端縁と連なっている。
【００９２】
図９Ｂに示すように、接続部８ａ（第１接続部８１ａ，第２接続部８２ａ，第３接続部８３ａ）を完全に折り曲げた状態では、第１接続部８１ａは、前方小箱３１の前壁３１１ａに折り重なり、第２接続部８２ａは、前方小箱３１ａの後壁３１２ａに折り重なり、第３接続部８３ａは、中央小箱３２ａの後壁３１２ａに折り重なっている。第２接続部８２ａや第３接続部８３ａの高さ寸法に相当する長さ分だけ、小箱後壁３１２ａの高さ寸法が、小箱の前壁３１１ａよりも高く形成されている。そのため、接続部８ａを完全に折り曲げた状態では、各小箱３ａが互いに接近し、また、各小箱３ａが同じ高さ位置にある。
【００９３】
図９Ｃに示すように、第２接続部８２ａ及び第３接続部８３ａを広げた状態では、第２接続部８２ａ、及び第３接続部８３ａが略水平状態となる。その結果、各小箱３ａの間に、第２接続部８２ａや第３接続部８３ａの高さ寸法に相当する間隔が形成される。
【００９４】
図９Ｂ及び図９Ｃに加えて、図９Ｄから図９Ｅにも示すように、小箱の前壁３１１ａには、シガレット６の移動を規制するための小片９ａが一方の小箱の側壁３１３ａ側（前方からみて左側）に形成されている。この小片９ａは、小箱の前壁３１１ａの横方向の長さの半分程度の長さを有し、小箱の内側に突出している。小片９ａは、小箱の前壁３１１ａを横長のＵ字状に切り欠くことで形成されている。小片９ａには、横方向に延びる折れ部９１ａが形成されている。小片９ａは折れ部９１ａを基準に内側に湾曲しており、弾性部材として機能する。そして、小片９ａは、小箱３ａに収容されるシガレット６を押圧することで、シガレット６の移動を規制する。小箱の後壁３１２ａにも、同様の小片９ａが他方の小箱の側壁３１３ａ側（前方からみて右側）に形成されている。小箱内における小片９ａは小箱の前壁３１１ａと小箱の後壁３１２ａに分かれて、それぞれ横方向の長さの半分程度まで伸びている。これにより、小片９ａが小箱の前壁３１１ａのみ若しくは小箱の後壁３１２ａのみに小箱３ａの横方向の一端から他端まで伸びている場合に比べて、小箱３ａの強度を向上させることができる。
【００９５】
＜＜ブランク＞＞
パッケージ１００ａは、パッケージ本体１ａ及びリッド２ａを成形する第１ブランクＢ１ａと、連結プレート４ａ及び小箱３ａを成形する第２ブランクＢ２ａの各所を折り込み、接合することで成形することができる。図１０Ａは、第１ブランクＢ１ａを示し、図１０Ｂは、第２ブランクＢ２ａを示す。第１ブランクＢ１ａ，第２ブランクＢ２ａにはカード紙、マニラボール紙等の紙材、又はプラスチックシートなどの樹脂を用いることができるが、これらに限定されるものではない。また、ブランクの説明では、図の上下方向を基準に説明する。
【００９６】
＜＜第１ブランクＢ１ａ＞＞
図１０Ａに示すように、第１ブランクＢ１ａは、パッケージ本体１ａとなる本体区域Ｒ１ａ、リッド２ａとなる蓋区域Ｒ２ａを有している。本体区域Ｒ１ａは、パッケージ本体の前壁１１ａとなる本体の前壁パネルＰ１ａを有しており、本体の前壁パネルＰ１ａの両側縁には、パッケージ本体の側壁１３ａとなる本体の側壁パネルＰ２ａ,Ｐ２ａが連なっている。
【００９７】
また、本体の前壁パネルＰ１ａの上縁には、パッケージ本体の下壁１４ａとなる本体の下壁（底板）パネルＰ３ａが連なっている。本体の前壁パネルＰ１ａと本体の下壁パネルＰ３ａとの間には、Ｒとなる複数の折り込み線からなるＲ部が形成されている。本体の下壁パネルＰ３ａには、本体の前壁パネルＰ１ａとは反対側に位置してパッケージ本体の後壁１２ａとなる本体の後壁パネルＰ４ａが連なっている。本体の後壁パネルＰ４ａの両側縁には、パッケージ本体の側壁１３ａとなる本体のインナサイドフラップＰ５ａ,Ｐ５ａが連なっている。また、本体のインナサイドフラップＰ５ａ，Ｐ５ａの下縁には、本体のインナボトムフラップＰ６ａが連なっており、これら本体のインナボトムフラップＰ６ａは本体の下壁パネルＰ３ａに重ね合わされ、パッケージ本体の下壁１４ａの補強をなす。また、本体の後壁パネルＰ４ａには、第２ヒンジＨ２となる第２ヒンジラインＬ２ａ、第１ヒンジＨ１となる第１ヒンジラインＬ１ａが形成されている。また、本体の後壁パネルＰ４ａの両側縁には、リッドの後壁パネルＰ７ａの第３ヒンジラインＬ３ａから第２ヒンジラインＬ２ａまで延び、切り込み７ａとなる直線状の切欠きＣ１ａが形成されている。更に、本体の後壁パネルＰ４ａには、舌状片５ａを形成するＵ字状の切欠きＣ２ａが形成されている。
【００９８】
蓋区域Ｒ２ａは、リッドの後壁２２ａとなるリッドの後壁パネルＰ７ａを有している。リッドの後壁パネルＰ７ａの上縁には、第３ヒンジＨ３となる第３ヒンジラインＬ３ａを介して、リッドの上壁２４ａとなるリッドの上壁パネルＰ８ａが連なっている。リッドの上壁パネルＰ８ａの両側縁には、リッドの側壁２３ａの一部となるリッドのインナサイドフラップＰ９ａ，Ｐ９ａが夫々連なっている。また、リッドの上壁パネルＰ８ａの上縁には、リッドの前壁２０ａとなるリッドの前壁パネルＰ１０ａが連なっている。更に、リッドの前壁パネルＰ１０ａの両側縁には、リッドの側壁２３ａとなるリッドの側壁パネルＰ１１ａが夫々連なっている。リッドの側壁パネルＰ１１ａは、操作部２７ａとなる円形の切欠きＣ５ａが形成されている。リッドの側壁パネルＰ１１ａは、横方向中央（円の中心）付近に上下方向に延びる折り込み線で折り返され、間にリッドのインナサイドフラップＰ９ａとリッドのインナサイドフラップＰ１３ａを挟み込み、リッドの側壁２３ａを構成する。
【００９９】
更に、リッドの前壁パネルＰ１０ａの上縁には、リッドの下壁２６ａとなるリッドの下壁パネルＰ１２ａが連なっている。リッドの前壁パネルＰ１０ａとリッドの下壁パネルＰ１２ａとの間には、Ｒとなる複数の折り込み線からなるＲ部が形成されている。リッドの下壁パネルＰ１２ａの両側縁には、リッドのインナサイドフラップＰ１３ａが夫々連なっている。また、リッドの下壁パネルＰ１２ａの上縁には、折り返されてリッドの下壁２６ａの補強をなす、リッドのインナボトムフラップＰ１４ａが連なっている。
【０１００】
＜＜第２ブランクＢ２ａ＞＞
図１０Ｂに示すように、第２ブランクＢ２ａは、接続部８ａとなる接続領域Ｒ３ａ−１，Ｒ３ａ−２，Ｒ３ａ−３、小箱３ａとなる小箱領域Ｒ４ａ−１，Ｒ４ａ−２，Ｒ４ａ−３、連結プレート４ａとなる連結領域Ｒ５ａを有している。これらの領域は、接続領域Ｒ３ａ−１、小箱領域Ｒ４ａ−１、接続領域Ｒ３ａ−２、小箱領域Ｒ４ａ−２、接続領域Ｒ３ａ−３、小箱領域Ｒ４ａ−３、連結領域Ｒ５ａの順に連なっている。
【０１０１】
接続領域Ｒ３ａ−１は、第１接続部８１ａとなる第１接続パネルＰ２１ａを有する。第１接続パネルＰ２１ａは、横長の長方形であり、上下方向の中心付近に横方向に延び、折れ部８１１ａとなる折り込み線が形成されている。この折り込み線よりも下方の領域が、パッケージ本体の前壁１１ａの内面と接続され、折り込み線よりも上方の領域の縁は、前方小箱３１ａの前壁３１１ａの上端縁に連なっている。
【０１０２】
接続領域Ｒ３ａ−２，及びＲ３ａ−３は、第２接続部８２ａ、及び第３接続部８３ａとなる第２接続パネルＰ２２ａ，Ｐ２２ａを有する。
【０１０３】
小箱領域Ｒ４ａ−１，Ｒ４ａ−２，Ｒ４ａ−３は、小箱の前壁３１１ａとなる小箱の前壁パネルＰ２５ａを有している。小箱の前壁パネルＰ２５ａには、小片９ａとなる切欠きＣ４ａが形成されている。また、小箱の前壁パネルＰ２５ａの両側縁には、小箱の側壁３１３ａとなる小箱の側壁パネルＰ２６ａ，Ｐ２６ａが連なっている。また、小箱の前壁パネルＰ２５ａの上縁には、小箱の下壁３１４ａとなる小箱の下壁パネルＰ２７ａが連なっている。また、小箱の下壁パネルＰ２７ａの上縁には、小箱の後壁３１２ａとなる小箱の後壁パネルＰ２８ａが連なっている。この小箱の後壁パネルＰ２８ａには、小片９ａとなる切欠きＣ４ａが形成されている。また、小箱の後壁パネルＰ２８ａの両側縁には、小箱の側壁３１３ａを補強する小箱のインナサイドフラップＰ２９ａ，Ｐ２９ａが連なっている。また、小箱のインナサイドフラップＰ２９ａ，Ｐ２９ａの下縁には、小箱のインナボトムフラップＰ３０ａが連なっており、これら小箱のインナボトムフラップＰ３０ａは小箱の下壁パネルＰ２７ａに重ね合わされ、小箱の下壁３１４ａの補強をなす。
【０１０４】
連結領域Ｒ５ａは、連結プレート４ａとなる連結パネルＰ３１ａを有している。連結パネルＰ３１ａには、直線状の折れ部４１ａとなるラインＬ４ａが形成されている。
【０１０５】
上述した第１ブランクＢ１ａは、図１０Ａ中破線で示した折り込み線で夫々折り込まれる。その結果、図８Ａから図８Ｄ、及び図９に示すようなパッケージ本体１ａとリッド２ａを含むパッケージ１００ａが成形される。第１ブランクＢ１ａの本体区域Ｒ１ａにおいては、各折り込み線で折り込まれ、本体のインナボトムフラップＰ６ａが本体の下壁パネルＰ３ａに重ねられ、本体のインナサイドフラップＰ５ａが本体の側壁パネルＰ２ａに接着されることで、パッケージ本体１ａが成形される。
【０１０６】
一方、第１ブランクＢ１ａの蓋区域Ｒ２ａにおいては、各折り込み線で折り込まれ、リッドのインナサイドフラップＰ９ａ、及びリッドのインナサイドフラップＰ１３ａがリッドの側壁パネルＰ１１ａに挟み込まれて接着され、リッドのインナボトムフラップＰ１４ａがリッドの下壁パネルＰ１２ａに重ねられることで、リッド２ａが成形される。
【０１０７】
上述した第２ブランクＢ２ａは、図１０Ｂ中破線で示した折り込み線で夫々折り込まれる。その結果、図９Ａから図９Ｆに示すような小箱３ａ、接続部８ａ、連結プレート４ａが成形される。第２ブランクＢ２ａの接続領域Ｒ３ａ−１，Ｒ３ａ−２，Ｒ３ａ−３においては、各折り込み線で折り込まれることで接続部８ａ（第１接続部８１ａ，第２接続部８２ａ，第３接続部８３ａ）が成形される。第２ブランクＢ２ａの小箱領域Ｒ４ａ−１，Ｒ４ａ−２，Ｒ４ａ−３では、小箱のインナボトムフラップＰ３０ａが小箱の下壁パネルＰ２７ａに重ねられ、小箱のインナサイドフラップＰ２９ａが小箱の側壁パネルＰ２６ａに接着されることで、小箱３ａが成形される。
【０１０８】
例えば、図９Ａに示すように、連結プレート４ａの上部がリッド２ａに接着され、第１接続部８１ａの前方接続部８１１ａがパッケージ本体の前壁パネル１１ａに接続されることで、パッケージ１００ａが成形される。
【０１０９】
＜＜開閉動作＞＞
次に、パッケージ１００ａにおけるリッド２ａの開閉動作について説明する。以下に説明する動作は、リッド２ａの開閉に連動して行われる。図１１から図１４は、異なる方向から見たパッケージ１００ａの開閉状態を示す。また、図１５Ａ、図１５Ｂは、第２実施形態に係るパッケージの動作説明図を示す。
【０１１０】
リッド２ａが閉状態では、リッド２ａがパッケージ本体１ａの後方以外の面を覆っている。パッケージ１００ａに収容されているシガレット６を取り出す必要が無い場合は、通常、パッケージ１００ａは、閉状態である。閉状態では、リッドの下壁２６ａとパッケージ本体１ａの下壁が面で接しており、リッド２ａの開閉が規制されている。
【０１１１】
パッケージ１００ａに収容されているシガレット６を取り出す場合、リッド２ａが開状態とされる。具体的には、リッドの下壁２６ａとパッケージ本体の下壁１４ａとの面接触状態が解除され、リッド２ａが回動し始める（図１１（ｂ）、図１２（ｂ）、図１３（ｂ）、図１４（ｂ）、図１５Ａ（ｂ））。パッケージ１００ａは、第１ヒンジＨ１、第２ヒンジＨ２、及び第３ヒンジＨ３を備えており、リッド２ａは、第１ヒンジＨ１、第２ヒンジＨ２、及び第３ヒンジＨ３を軸に回動する。例えば、図１５Ａ（ｂ）に示すように、回動序盤では、リッド２ａは、主に第３ヒンジＨ３を軸に回動し始める。また、リッド２ａに連動して舌状片５ａが第１ヒンジＨ１を軸として回動し始める。その際、舌状片５ａは、連結プレート４ａを前方に押しながら、連結プレート４ａを上昇させる。また、リッド２ａを開状態とする際、後方に力が働くことから、リッド２ａの回動に連動して第３ヒンジＨ３が後方に徐々に移動する。
【０１１２】
図１１（ｃ）、図１２（ｃ）、図１３（ｃ）、図１４（ｃ）、図１５Ｂ（ｃ）（特に図１５Ｂ（ｃ））に示すように、回動中盤では、リッド２ａの回動に連動して、連結プレート４ａが徐々に引き上げられ、上昇する。また、リッド２ａに連動して舌状片５ａが第１ヒンジＨ１を軸として更に回動する。その際、舌状片５ａは、連結プレート４ａを前方に押しながら、連結プレート４ａを更に上昇させる。舌状片５ａが連結プレート４ａを前方に押す力の反力により、第１ヒンジＨ１が後方に移動する。また、第３ヒンジＨ３が更に後方に移動する。また、連結プレート４ａは、リッド２ａに引き上げられるとともに、舌状片５ａによって押し上げられる。その結果、連結プレート４ａがリッド２ａに連動して更に上昇する。その結果、後方小箱３３ａ，中央小箱３２ａ，前方小箱３１ａが上昇する。連結プレート４ａが上昇すると、後方小箱３３ａが上昇し、後方小箱３３ａと中央小箱３２ａとを接続する第３接続部８３ａが水平状態若しくはこれに近い状態となる。また、後方小箱３３ａが上昇すると、次に中央小箱３２ａも上昇し、中央小箱３２ａが上昇すると、中央小箱３２ａと前方小箱３１ａとを接続する第２接続部８２ａが水平状態若しくはこれに近い状態となる。各小箱３ａは、横方向及び前後方向の移動が完全に規制されていると、小箱３ａ同士の間隔が広がることはできない。但し、パッケージ１００ａでは、パッケージ本体の前壁１１ａが、パッケージ本体の後壁１２ａに比べて高さ寸法が短く形成されている。具体的には、パッケージ本体の前壁１１ａの高さ寸法は、小箱３ａの高さ寸法の半分程度に設計されている。そのため、小箱３ａの下部では前後方向の移動が規制されるが、上部では前後方向の移動が許容される。第２接続部８２ａや第３接続部８３ａの高さ位置には、パッケージ本体の前壁１１ａが存在せず、小箱３ａの前後方向への移動が許容される。その結果、第２接続部８２ａや第３接続部８３ａは、水平状態又はこれに近い状態となる。一方、小箱３ａの下部では、上記のように前後方向への移動が規制されているため、小箱３ａ同士の間隔は、下方が狭く、上方に向かって徐々に広がるようになる。
【０１１３】
図１１（ｄ）、図１２（ｄ）、図１３（ｄ）、図１４（ｄ）、図１５Ｂ（ｄ）（特に図１５Ｂ（ｄ））に示すように、回動終盤では、リッド２ａは、第２ヒンジＨ２よりも、第１ヒンジＨ１を軸に回動する。リッド２ａの回動に連動して、連結プレート４ａが更に上昇する。また、リッド２ａに連動して舌状片５ａが第１ヒンジＨ１を軸として更に回動する。その際、舌状片５ａは、連結プレート４ａを前方に押しながら、連結プレート４ａを上昇させる。舌状片５ａが水平を越えると、連結プレート４ａを前方に押す力の反力は徐々に弱まり、リッド２ａを開くために加えられる下向きの力が第１ヒンジＨ１を支点として連結プレート４ａを上昇させる力に変換される。また、連結プレート４ａは、リッド２ａに引き上げられるとともに、舌状片５ａによって更に押し上げられる。その結果、後方小箱３３ａ、中央小箱３２ａ、前方小箱３１ａが更に上昇する。また、後方小箱３３ａが最も高く上昇し、次に、中央小箱３２ａが高く上昇し、次に、前方小箱３１ａが上昇する。また、後方小箱３３ａ、中央小箱３２ａ、前方小箱３１ａが更に上昇することで、小箱３ａの上部における前後方向の移動を規制する力が更に弱まり、小箱３ａ同士の間隔が更に広がる。一方で、小箱３ａの下部では、上記のように前後方向への移動が規制されている。その結果、小箱３ａ同士の間隔は、下方は狭いままで、上方に向かって徐々に更に広がるようになる。その結果、小箱３ａに収容されたシガレット６は、側面視扇状に広がる。
【０１１４】
＜＜効果＞＞
第２実施形態に係るパッケージ１００ａは、シガレット６を収容する小箱３ａがリッド２ａの開閉に連動して昇降する。そのため、リッド２ａを開閉するだけで、換言すると、昇降するための動作を別途行うことなく、シガレット６が昇降するので、シガレット６をパッケージ１００ａから容易に取り出すことができる。また、実施形態に係るパッケージ１００ａは、舌状片５ａを備えることで、蓋部の開閉に連動してリフトアップする従来のパッケージと比較して、強度も向上し、安定的に小箱３ａを昇降することができる。また、舌状片５ａの長さ及び連結プレートの折れ部４１ａの位置を調整することで、昇降の移動範囲を調整することができ、例えば従来のパッケージよりも昇降の移動範囲を大きくすることができる。また、パッケージ１００ａは、小箱３ａが昇降するだけでなく、小箱３ａ同士を接続する接続部８ａによって、小箱３ａ同士の間に間隔を形成することができる。その結果、シガレット６は、上昇するだけでなく、前後方向において互いに間隔が形成される。そのため、シガレット６がより掴み易く、パッケージ１００ａから取り出しやすくなっている。更に、パッケージ１００ａでは、小箱３ａが列毎で区分けされ、更に、小箱３ａには小片９ａが設けられている。そのため、シガレット６の数が減った場合でも、シガレット６の移動を抑制することができる。その結果、シガレット６の数が減った場合でも、シガレット６が斜めになることでシガレット６を取り出しにくいといったことが起こりにくい。また、小箱３ａの上縁同士を接続することで、小箱の前後方向の広がりを規制することができる。その結果、小箱３ａを側面視扇状に広げた際の美観をより向上することができる。
【０１１５】
＜変形例１＞
第１実施形態、及び第２実施形態では、昇降部の一例として小箱について説明した。昇降部は、上記態様に限定されるものではなく、例えば、上昇した際に後側が高くなる傾斜面によって構成してもよい。図１６は、変形例１に係るパッケージ１０３を示す。変形例１に係るパッケージ１０３は、小箱３に代えて昇降プレート３ｂによって構成されている。昇降プレート３ｂは、リッド２の回動に連動して昇降する。リッド２が閉状態では、昇降プレート３ｂは水平であり、パッケージ本体の下壁１４と接している。一方、リッド２が開状態では、昇降プレート３ｂの後方側が上昇することで傾斜する。そのため、昇降プレート３ｂに載置されたシガレット６は、前方のシガレット６よりも後方のシガレット６の方が高い位置くる。その結果、シガレット６をパッケージ１０３から容易に取り出すことができる。
【０１１６】
＜変形例２＞
第１実施形態、及び第２実施形態では、舌状片の一例として、第１ヒンジＨ１の中央付近から下方に向けて形成された態様について説明した。舌状片は、上記態様に限定されるものではなく、例えば、第１ヒンジＨ１の両端部付近から下方に向けて形成されたものでもよい。図１７は、変形例２に係るパッケージを後方から見た斜視図を示す。変形例２に係るパッケージ１０４は、舌状片５ｃが、第１ヒンジＨ１の端部近傍に２カ所設けられている。
【０１１７】
＜その他の変形例＞
また、小箱３、小箱３ａの数は、３個である必要は無く、例えば、２個、若しくは４個以上としてもよい。また、小箱３３ａに収めるシガレットの数は、特に限定されない。すなわち、小箱３、３ａの横方向の長さを第１実施形態や第２実施形態よりも短くして、第１実施形態や第２実施形態よりも少ない本数のシガレットを収容できるようにしてもよい。また、小箱３、３ａの横方向の長さを第１実施形態や第２実施形態よりも長くして、第１実施形態や第２実施形態よりも少多い本数のシガレットを収容できるようにしてもよい。
【０１１８】
以上、本発明の好適な実施形態を説明したが、本発明に係るヒンジリッドパッケージは、可能な限り各実施例を組み合わせて実施することができる。また、本実施形態では、ヒンジリッドパッケージに収容する被収容物の好適な適用例として、フィルタシガレットや両切シガレット等のたばこ商品を挙げたが、これには限定されず、たばこ商品以外の物品をパッケージに収容してもよい。
【符号の説明】
【０１１９】
１，１ａ・・・パッケージ本体
２，２ａ・・・リッド
３，３ａ・・・小箱
４，４ａ・・・連結プレート
５，５ａ・・・舌状片
６・・・シガレット
７，７ａ・・・切り込み
８，８ａ・・・接続部
１０１，１０３，１０４，１００ａ・・・ヒンジリッドパッケージ
Ｈ１・・・第１ヒンジ
Ｈ２・・・第２ヒンジ
Ｈ３・・・第３ヒンジ
【図１Ａ】
2015141010.tif 000003
【図１Ｂ】
2015141010.tif 000004
【図２Ａ】
2015141010.tif 000005
【図２Ｂ】
2015141010.tif 000006
【図３】
2015141010.tif 000007
【図４】
2015141010.tif 000008
【図５】
2015141010.tif 000009
【図６】
2015141010.tif 000010
【図７Ａ】
2015141010.tif 000011
【図７Ｂ】
2015141010.tif 000012
【図８Ａ】
2015141010.tif 000013
【図８Ｂ】
2015141010.tif 000014
【図８Ｃ】
2015141010.tif 000015
【図８Ｄ】
2015141010.tif 000016
【図９Ａ】
2015141010.tif 000017
【図９Ｂ】
2015141010.tif 000018
【図９Ｃ】
2015141010.tif 000019
【図９Ｄ】
2015141010.tif 000020
【図９Ｅ】
2015141010.tif 000021
【図９Ｆ】
2015141010.tif 000022
【図１０Ａ】
2015141010.tif 000023
【図１０Ｂ】
2015141010.tif 000024
【図１１】
2015141010.tif 000025
【図１２】
2015141010.tif 000026
【図１３】
2015141010.tif 000027
【図１４】
2015141010.tif 000028
【図１５Ａ】
2015141010.tif 000029
【図１５Ｂ】
2015141010.tif 000030
【図１６】
2015141010.tif 000031
【図１７】
2015141010.tif 000032
【国際調査報告】
2015141010.tif 000033
2015141010.tif 000034
2015141010.tif 000035
2015141010.tif 000036